(57)【要約】  本発明は、特には本質的に円筒の形状を有する缶のための、衛生状態を改善するための容器用プロテクタに関する。当該プロテクタは、容器の上方部分を覆う上方プロテクタ要素と、当該容器の周囲に配置されると共に、ヒンジ部によって前期上方プロテクタ要素に接続された下方リングと、を備え、当該上方プロテクタ要素は、当該上方プロテクタ要素の本体から下方向の外側に向かって突出すると共に、当該容器の輪郭に沿った上反り形状を有する舌部を含む。
2013506604.tif 000002
【特許請求の範囲】
【請求項１】
容器の上方部分を覆う上方プロテクタ要素と、
前記容器の周囲に配置されると共に、ヒンジ部によって前記上方プロテクタ要素に接続された下方リングと、
を備え、
前記上方プロテクタ要素は、当該上方プロテクタ要素の本体から下方向の外側に向かって突出すると共に、前記容器の輪郭に沿った上反り形状を有するリング状引手部を含む
ことを特徴とする、特には実質的に円筒の形状を有する缶状容器のための、容器用プロテクタ。
【請求項２】
前記下方リングは、実質的に切頭円錐形状であり、当該下方リングの開口には、少なくとも当該開口の２つの側面部を結合するリブが設けられている
ことを特徴とする請求項１に記載の容器用プロテクタ。
【請求項３】
前記開口の前記２つの側面部は、互いに平行に走る上方リブと下方リブとによって結合されている
ことを特徴とする請求項２に記載の容器用プロテクタ。
【請求項４】
前記下方リングは、前記リング状引手部がぴったりとフィットされ得る開口を有しており、当該リング状引手部の寸法は当該開口の寸法と一致する
ことを特徴とする請求項１または２に記載の容器用プロテクタ。
【請求項５】
前記リング状引手部の高さは、前記下方リングの切頭円錐形状の壁の高さと一致する
ことを特徴とする請求項２または４に記載の容器用プロテクタ。
【請求項６】
前記リング状引手部は、前記上方プロテクタ要素の一体部分として製造されている
ことを特徴とする請求項１に記載の容器用プロテクタ。
【請求項７】
前記上方プロテクタ要素と前記下方リングとは、生分解性を有する柔軟なプラスチック材料から形成されている
ことを特徴とする請求項１に記載の容器用プロテクタ。
【請求項８】
前記上方プロテクタ要素は、当該プロテクタ要素の縁の近くに周回状の凹部を有する
ことを特徴とする請求項１に記載の容器用プロテクタのための衛生用シール。
【発明の詳細な説明】
【技術分野】
【０００１】
本願の目的は、顕著な新規性と利点とを有する容器用プロテクタを登録することにある。より具体的には、本発明は、特には本質的に円筒の形状を有する缶のための、容器用プロテクタに関する。当該プロテクタは、請求項１のプリアンブルに定義されるように、容器の上方部分を覆う上方プロテクタ要素と、当該容器の周囲に配置される下方リングと、を備えており、当該容器の衛生状態を改善し、これにより使用者の健康に資する。
【背景技術】
【０００２】
現在、いかなる種類の保護も利用できない商業販路における容器の現在の体裁に対して、内容物にアクセスするための開口を有する領域に改善された衛生状態を提供することを目的に、当該容器（特には缶として一般的に知られている容器）の上に取り付けるためのプロテクタ要素が知られている。
【０００３】
しかし、実際には、既知のプロテクタは、容器の内側に直接収容されている飲料を飲むときに使用者の唇が接触する部分に、十分に満足できる衛生状態を提供していない、ということが指摘される。
【０００４】
更に、本件出願人は、ここに記載されている特徴を有するプロテクタに関する発明の存在を認識していない。
【発明の概要】
【０００５】
本発明は、前述の欠点を解消すると共に、以下の記載から明白になるであろう他の追加の利点を提供する、容器用プロテクタを提供することを目的に開発された。
【０００６】
それ故に、容器の上方部分を覆う上方プロテクタ要素と、当該容器の周囲に配置される下方リングと、を備え、前記上方プロテクタ要素は、当該上方プロテクタ要素の本体から下方向の外側に向かって突出すると共に、前記容器の輪郭に沿った上反り形状を有するリング状引手部を含むという事実によって本質的に特徴づけられている、特には本質的に円筒の形状を有する缶のための、新規な容器用プロテクタを提供することが、本発明の目的である。
【０００７】
好ましくは、上方プロテクタ要素と下方リングとの両方は、生分解性を有する柔軟なプラスチック材料から形成されており、そのため、比較的短期間での分解を保証しており、これにより、環境にやさしくなっている。前記特徴のおかげで、プロテクタは低い製造コストで得られると共に、容器から直接飲むときに使用者の唇と通常接触する缶の輪郭が、単純で実際的なやり方で汚れから保護されているため、当該技術分野で既知のプロテクタよりも高いレベルの衛生状態を有している。更に、ここに記載されたプロテクタは、容器内に収容された飲料を消費するときに、使用者にいかなる不快感や煩わしさも暗示しない。有利には、上方プロテクタ要素は、当該プロテクタ要素の縁の近くに周回状の凹部を有しており、これらの容器が底部に有するフランジを利用することにより、収納のために缶をそれぞれ互いの上部に簡単に積み重ねることを可能にしている。
【０００８】
本発明により定義されたプロテクタが、販売用の商業販路でしばしば見られるような、予め決められた数の容器で二列形態に配置された一群の缶に適用される、例えばリブによって連結された複数のプロテクタからなる形態の一部を形成する可能性があることは、当業者にとって自明である。
【０００９】
本発明の他の特に好ましい実施の形態では、下方リングは、実質的に切頭円錐形状であると共に、取り付けられる容器の本体に適合する本体を有しており、少なくとも開口の２つの側面部を結合するリブが当該開口に設けられている。前記開口の前記２つの側面部は、互いに平行に走る二つのリブによって結合されている。他方では、下方リングはリング状引手部がぴったりと配置され得る開口を有しており、当該リング状引手部の寸法は当該開口の寸法と一致する。
【００１０】
本発明の主題である容器用プロテクタの他の特徴及び利点は、好ましいが排他的でない実施の形態の記載から明らかになるであろう。当該実施の形態は、添付された図面に、非限定的な例示として図示されている。
【図面の簡単な説明】
【００１１】
【図１】本発明による容器用プロテクタの第一の好適な実施の形態の斜視図。
【図２】開状態で缶の上に配置された、図１に示されたプロテクタの斜視図。
【図３】本発明による容器用プロテクタの第二の好適な実施の形態の斜視図。
【図４】開状態で缶の上に配置された、図３に示されたプロテクタの斜視図。
【図５】閉状態にある、缶状の容器の上のプロテクタの斜視図。
【図６】開状態にある、本発明による容器用プロテクタの第三の実施の形態の斜視図。
【発明を実施するための形態】
【００１２】
添付の図１及び図２に示されるように、参照番号１により一般的な方法で示された、特には実質的に円筒の形状を有する缶状容器のための、本発明の容器用プロテクタの第一の実施の形態は、当該容器の上方部分を覆う上方プロテクタ要素２と、当該容器４の縁の周囲にぴったりと配置された下方リング３とを有しており、当該下方リング３はヒンジ部８によって上方プロテクタ要素２に結合されている。上方プロテクタ要素２と下方リング３との両方は、ポリエチレンまたはポリプロピレンの主要部（コア）と、オキソ生分解性（oxo-biodegradation ）を促すことによりここに記載されているプロテクタの自然な分解を促進するいくつかの添加物と、を有する生分解性の柔軟なプラスチック材料から形成されている。
【００１３】
前記上方プロテクタ要素２は、当該上方プロテクタ要素２の本体から下方向の外側に向かって突出すると共に、容器の輪郭に沿った上反り形状を有するリング状引手部５を含む。
【００１４】
プロテクタ１を形成する両方の要素の間の結合は、閉状態では、しっかりとした閉塞状態を提供し、缶状容器に設けられたリング状引手部が一旦開放された後にガスや液体の漏出を防ぐことにより、内部の液体、特には炭酸飲料、の最適な性質を保持するようになっていることが指摘される。
【００１５】
図３及び図４に示される本発明の第二の実施の形態では、前述の要素に相当する要素は、同じ参照番号を有している。下方リング３は、実質的に切頭円錐形状の本体を有しており、開口には当該開口の２つの側面部（lateral section ）を結合する上方リブ部分９が設けられている。これにより、リング状引手部５は前記開口にぴったりとフィットされることが可能であり、当該リング状引手部５の寸法は下方リング３に設けられた当該開口の寸法と一致している。
【００１６】
本発明のプロテクタ１は、例えば缶状容器の上底部に設けられたリング状引手部７を通して容器が開放される前の衛生状態の保護を提供することに加えて、容器が一旦開放された後、すなわち一旦リング状引手部が引き取られた後、衛生状態と閉塞状態とを提供する。これにより、使用者は、消費される内部の液体の状態を劣化させることなく、できるだけ長い間便利に内部の飲料を保管することが可能となる。
【００１７】
更に、図５においてより明瞭に見ることができるように、上方プロテクタ要素１は、当該プロテクタ要素の縁１１の近くに周回状の凹部１０を有しており、同じ形態又は類似の形態の他の缶を容易に積み重ねることを可能にしている。これにより、本件容器は、本発明の衛生シールを持たない場合と同じ態様で積み重ねられ得る。
【００１８】
最後に、図６には、開口の２つの部分が互いに平行に走る２つのリブ９及び１０によって結合され得る、本発明の第三の実施の形態を見ることができる。下方リブ１０は、例えば、下方リブ１０の上方縁部とリング状引手部５の下方縁部との間に配置された破壊可能な結合部の適用によって、リング状引手部５と結合して安全シールとして使用され得る。これにより、消費者は、上方プロテクタ要素２が不正にいじられていないという保証を得る。この場合、上方リブは下方リング３の部分に対応する。
【００１９】
細部、形状、寸法及びその他の補助的な要素は、本発明の容器用プロテクタの製造で使用される材料と同様に、本件請求項により定義された発明の精神又は範囲から逸脱することなく、他の技術的に等価なものと都合よく置き換えられ得る。
【図１】
2013506604.tif 000003
【図２】
2013506604.tif 000004
【図３】
2013506604.tif 000005
【図４】
2013506604.tif 000006
【図５】
2013506604.tif 000007
【図６】
2013506604.tif 000008
【国際調査報告】
2013506604.tif 000009
2013506604.tif 000010
2013506604.tif 000011
2013506604.tif 000012